(57)【要約】      （修正有）【課題】チューブ式の様に柔軟な容器本体形状をもち、新たに保存したい物質の入替が可能であり、容易に使用できる保存容器を提供する。【解決手段】保存容器本体５と蓋１との間に中身の入替が容易な大きな直径の中蓋４を設ける。中蓋４には中身を使用する為の中蓋口径より小さい口径の口３を設ける。容器本体に柔軟性のある素材等を採用する事で、従来の固形・液体の保存や使用の用途だけではなく、反固形物でも小さい口径の口３より押出す等して使用する事が可能となる。この小さい取出し口の口径は違う直径のものと交換が可能である。中蓋口径が大きく取り扱いが容易である。本体の形状が柔軟性のある素材である事から、押出後の本体内部の希薄状態から酸化・劣化防止効果がある。【選択図】図１
0003157358.tif 000002
【実用新案登録請求の範囲】
【請求項１】
保存容器本体と蓋との間に中身の入替が容易な大きな直径の中蓋を設ける。中蓋には中身を使用する為の中蓋口径より小さい口径の口を設ける。容器本体に柔軟性のある素材等を採用する事で、従来の固形・液体の保存や使用の用途だけではなく、形状の特性から反固形物でも小さい口径の口より押出す等して使用する事が可能となる。この小さい取出し口の口径は中身の状態に応じて違う直径のものと交換が可能である。容器本体及び部品に耐熱性の素材を使用する事で高温洗浄が可能、中蓋口径が大きな利点と併せて取り扱いが容易である。また本体の形状が柔軟性のある素材である事から、押出後の容器本体内部に空洞が少なく、空気による酸化・劣化が軽減できる等の特性をもつ保存容器である。
【請求項２】
前項１の保存容器は反固形物を保存・使用できる事から保存容器としての用途を含め、「みそ」食品等の食品を充填した容器を含めた商品。
【考案の詳細な説明】
【技術分野】
【０００１】  本発明は中身の入替が容易、かつ容易に使用できる保存容器に関するものである。
【背景技術】
【０００２】  容器の形状の類似性から次の二つをあげる。「酸化、風味の劣化、害虫の侵入等が抑えられ品質保持の上長期保存が可能となるチューブ入り練り唐辛子」、「玩具の容器でありながら、チューブ本体を押圧すると充填物が絞り出されて、対称へ塗り付けできるようになる状態を何回でも繰り返して、リアルに表現する事ができるチューブ型容器玩具」。
【先行技術文献】
【実用新案文献】
【０００３】  登録実用新案第３１２０４２２号  吉岡食品工業株式会社  チューブ入り練り唐辛子。
【０００４】  登録実用新案第３０９０３８４号  株式会社タカラ  チューブ型容器玩具。
【考案の概要】
【考案が解決しようとする課題】
【０００５】  技術背景は食品を充填した限定された商品や玩具としての使用用途であり、チューブ式等のように柔軟な容器本体形状をもつ、入替可能な保存容器ではなかった。【０００６】  新考案は保存したい物質の入替が可能、容易に使用できる保存容器を目的とする。
【課題を解決するための手段】
【０００７】  請求項１に記載の発明は、保存容器本体と蓋の間に中身の入替が容易な大きな直径の中蓋を設け、中蓋には中身を使用する為の中蓋口径より小さい口径の口を設ける。また容器本体に柔軟性のある素材等を採用する事で、従来の固形・液体の保存や使用の用途だけではなく、形状の特性から反固形物でも、小さい口径の口より押出す等して使用できる用途をもたせる。本体形状の特性より、押出後の容器内部に空洞が少なく、酸化・劣化が軽減できる保存容器とする。【０００８】  請求項２に記載の発明は、容器の特性を活かした食品を充填した商品である。
【考案の効果】
【０００９】  請求項１の発明によれば、本体保存容器と蓋との間に中身の入替が可能な大きな直径の中蓋がある事で、従来品にはなかった中身の入替が容易となる。また本体容器に柔軟性のある素材等を使用する事で、固形・液体の保存・使用の用途だけではなく、反固形物も絞り出す、押出す等により使用する事ができ、今まで、入替て使用が難しかった食品などの用途が広がる。例えば「みそ」等は、その性質上、押出して使用する事ができれば取扱が容易で利便性が向上する。また柔軟性がある容器本体素材の使用と蓋の密閉性を向上させる等により、押出し後の本体が希薄となり、酸化・劣化の減少効果が期待できる為、同様に「みそ等の食品」の保存性が向上する。【００１０】  請求項２の発明によれば、食品を充填した商品として、例えば前記１で記載したように「みそ」などの半固形食品については、利便性が向上する。
【図面の簡単な説明】
【００１１】
【図１】「容器を示した平面立体図である。」
【図２】「容器を示した上から見た図である。」
【図３】「容器本体の中蓋との接続部分図である。」
【図４】「本体底部にチューブ形状止めを使用した例として容器本体側面立体図である。」
【考案を実施するための形態】
【００１２】  本体保存容器と蓋との間に中身の入替が可能な大きな直径の中蓋を設ける。容器本体と中身を出し入れする中蓋の接続はスクリュー式、ワンタッチ式など、大きな口径の接続が押出し時の圧力に対応可能であれば良く、容器本体は柔軟な素材を採用、形状は丸みを帯びた形、チューブ式、自立型円柱等、限定されない。本体容器及び部品に耐熱素材を使用、中蓋口径の大きな事と併せ、高温洗浄が可能で衛生面に配慮できる。小さい取出し口は中蓋を取り替える事で直径サイズが変更でき中身の状態により選択できる。
【実施例】
【００１３】  以下、本発明を具体化した実施形態を添付図面に基づいて説明する。【００１４】  図１  中蓋４と図４  接続口７に示すように、スクリュー式の取り付け例。【００１５】  図１に示すように、外蓋１は６により接続され、蓋はワンタッチ開閉式の例。【００１６】  図１に示すように、突起口３より中身は押出す、傾けるなど動作で容易な使用例。【００１７】  図１に示すように、外蓋には突起口３との受け口がある例。【００１８】  図１に示すように、容器本体５形状例。【００１９】  図１に示すように、下部８は丸みを帯びた形状例。【００２０】  図２に示すように、上から見たチューブの形状の説明例。【００２１】  図３に示すように、中蓋接続部７  スクリュー式の例。【００２２】  図４、下部９は、従来のチューブ式容器の形状例。【００２３】  図４、１０の突起のような外蓋、取出し口の例。【００２４】  本発明は、以上述べた実施例に限定されるものではない。
【符号の説明】
【００２５】１  外蓋
２  外蓋の中蓋受け部分
３  取出し口  または  中蓋の突起口
４  中蓋
５  容器本体
６  外蓋と中蓋の取り付け部分
７  容器本体の中蓋との接続口
８  容器本体下部
９  容器本体下部のチューブ式の別例
１０  チューブ式容器の中蓋の別例
１１  チューブ式容器の外蓋の別例
【図１】
0003157358.tif 000003
【図２】
0003157358.tif 000004
【図３】
0003157358.tif 000005
【図４】
0003157358.tif 000006
【手続補正書】
【提出日】平成21年8月17日(2009.8.17)
【手続補正１】
【補正対象書類名】実用新案登録請求の範囲
【補正対象項目名】全文
【補正方法】変更
【補正の内容】
【実用新案登録請求の範囲】
【請求項１】
開口を有する保存容器本体と，
蓋と，
中蓋と，からなる保存容器において，
前期中蓋の一方の面には、保存容器の本体の開口と同一の口径を有する第一の開口を有し，
前記中蓋の他方の面には、前記第一の開口より口径の小さい第二の開口を有し，
前記保存容器本体は、柔軟性のある素材からなる，保存容器。
【請求項２】
請求項１記載の保存容器に、味噌が充填された、味噌充填済保存容器。
【手続補正２】
【補正対象書類名】明細書
【補正対象項目名】０００７
【補正方法】変更
【補正の内容】
【０００７】開口を有する保存容器本体と，
蓋と，
中蓋と，からなる保存容器において，
前期中蓋の一方の面には、保存容器の本体の開口と同一の口径を有する第一の開口を有し，
前記中蓋の他方の面には、前記第一の開口より口径の小さい第二の開口を有し，
前記保存容器本体は、柔軟性のある素材からなる，保存容器。
【手続補正３】
【補正対象書類名】明細書
【補正対象項目名】０００８
【補正方法】変更
【補正の内容】
【０００８】前項記載の保存容器に、味噌が充填された、味噌充填済保存容器。
【手続補正４】
【補正対象書類名】明細書
【補正対象項目名】０００９
【補正方法】変更
【補正の内容】
【０００９】請求項１の発明において、
（１）中蓋を有し、取り外せる事で、保存容器本体の開口より中身の充填が可能であり、
（２）中蓋が第一の開口より口径の小さい第二の開口を有し、本体容器に柔軟性を有する素材を採用する事により、固形，液体の保存及び使用用途に加え、反固形物についても絞り出す、押出す行為で中身を使用できる，保存容器。
【手続補正５】
【補正対象書類名】明細書
【補正対象項目名】００１０
【補正方法】変更
【補正の内容】
【００１０】請求項２の発明において、
（１）容器本体が柔軟性を有する素材により、押出，絞り出して中身が使用でき，
（２）容器本体の柔軟性の素材から、押出後の本体内部の空洞が少なく、酸化も防げる，味噌充填済の保存容器。
【手続補正書】
【提出日】平成21年11月6日(2009.11.6)
【手続補正１】
【補正対象書類名】実用新案登録請求の範囲
【補正対象項目名】請求項１
【補正方法】変更
【補正の内容】
【請求項１】
開口を有する保存容器本体と，
蓋と，
中蓋と，からなる保存容器において，
前記中蓋の一方の面には、保存容器の本体の開口と同一の口径を有する第一の開口を有し，
前記中蓋の他方の面には、前記第一の開口より口径の小さい第二の開口を有し，
前記保存容器本体は、柔軟性のある素材からなる，保存容器。